(57)【要約】【課題】  最適化されたポリシリコン反応炉のための給電装置システムを提供する。【解決手段】  給電装置システムは第１の変圧器を備え、第１の変圧器は、変圧器コアを含み、変圧器コアは、脚と、それを結合するヨークとを有し、脚とヨークとは筒体形状に設けられ、該筒体は底面として第１の多角形、上面として第２の多角形を有し、ヨークは第１の多角形の辺に沿ってそこから、および第２の多角形の辺に沿って設けられ、脚は第１の多角形の辺に沿って、および第２の多角形の辺に沿って設けられ、変圧器コアの脚上に設けられる一次側コイルおよび二次側コイルをさらに含む。二次側コイルが、少なくとも３つの接続部、すなわち、１つの中性導体接続部と２つの外部導体接続部を有し、二次側コイルの全外部導体接続部が、それぞれ、外方端部を有する、第１の導電性キャリアと機械的にかつ電気的に結合され、該第１のキャリアの外方端部は、筒体の外側に位置している。【選択図】  図１
2014039037.tif 000002
【特許請求の範囲】
【請求項１】
第１の変圧器（Ｔ１）を備える給電装置システムであって、
該第１の変圧器は、変圧器コア（Ｋ）を含み、
変圧器コア（Ｋ）は、脚（Ｋ１）と、それを結合するヨーク（Ｋ２）とを有し、
脚（Ｋ１）とヨーク（Ｋ２）とは筒体形状に設けられ、該筒体は底面として第１の多角形、上面として第２の多角形を有し、
ヨーク（Ｋ２）は第１の多角形の辺に沿ってそこから、および第２の多角形の辺に沿って設けられ、脚（Ｋ１）は第１の多角形の辺に沿って、および第２の多角形の辺に沿って設けられ、
変圧器コアの脚（Ｋ１）上に設けられる一次側コイルおよび二次側コイル（Ｔ１．１，Ｔ１．２，Ｔ１．３）をさらに含む、給電装置システムにおいて、
二次側コイル（Ｔ１．１，Ｔ１．２，Ｔ１．３）が、少なくとも３つの接続部（Ａ）、すなわち、１つの中性導体接続部と２つの外部導体接続部を有し、
二次側コイル（Ｔ１．１，Ｔ１．２，Ｔ１．３）の全外部導体接続部が、それぞれ、外方端部を有する、第１の導電性キャリア（Ｌ）と機械的にかつ電気的に結合され、
該第１のキャリア（Ｌ）の外方端部は、筒体の外側に位置していることを特徴とする給電装置システム。
【請求項２】
第１のキャリア（Ｌ）には、特に第１のキャリア（Ｌ）のより外方端部には、配線基体（Ｓ１．１〜Ｓ３．２）が固定されることを特徴とする、請求項１に記載の給電装置システム。
【請求項３】
第１のキャリア（Ｌ）は、配線基体（Ｓ１．１〜Ｓ３．２）を担持することを特徴とする、請求項２に記載の給電装置システム。
【請求項４】
出力調整装置を有し、各出力調整装置の入力部は、第１のキャリア（Ｌ）の内の１つのキャリアの中間回路のもとで、二次側コイルの内の１つの二次側コイルの外部導体接続部と結合され、出力調整装置は、配線基体（Ｓ１．１〜Ｓ３．２）の内の１つの配線基体上に設けられることを特徴とする、請求項２または３に記載の給電装置システム。
【請求項５】
入力部が、二次側コイル（Ｔ１．１，Ｔ１．２，Ｔ１．３）の内の１つの二次側コイルの外部導体接続部と結合されている各出力調整装置の出力部は、１つの点において電気的に互いに結合されていることを特徴とする、請求項４に記載の給電装置システム。
【請求項６】
制御手段を有し、該制御手段は、電圧追従制御における出力調整装置の駆動に適するように構成されることを特徴とする、請求項５に記載の給電装置システム。
【請求項７】
配線基体（Ｓ１．１〜Ｓ３．２）は、少なくとも１つの、実質的に平らな面を有することを特徴とする、請求項３〜６のいずれか１項に記載の給電装置システム。
【請求項８】
平らな面を有する配線基体（Ｓ１．１〜Ｓ３．２）は、少なくとも２つの脚（Ｋ１）に平行に、かつ変圧器コア（Ｋ）の２つのヨーク（Ｋ２）に平行に、第１のキャリア（Ｌ）に固定されることを特徴とする、請求項７に記載の給電装置システム。
【請求項９】
配線基体（Ｓ１．１〜Ｓ３．２）の内の１つの配線基体の平らな面と、それに平行なヨーク（Ｋ２）との間に、少なくとも１つのさらなる脚（Ｋ１）が設けられることを特徴とする、請求項８に記載の給電装置システム。
【請求項１０】
配線基体（Ｓ１．１〜Ｓ３．２）の内の１つの配線基体の平らな面と、それに平行なヨーク（Ｋ１）との間に、さらなる脚（Ｋ１）が設けられないことを特徴とする、請求項８に記載の給電装置システム。
【請求項１１】
配線基体（Ｓ１．１〜Ｓ３．２）の内の１つの配線基体上に設けられた出力調整装置の入力部は、二次側コイルの内の１つの二次側コイルの外部導体接続部と結合されることを特徴とする、請求項３〜１０のいずれか１項に記載の給電装置システム。
【請求項１２】
配線基体（Ｓ１．１〜Ｓ３．２）の内の１つの配線基体上に設けられた出力調整装置の第１の部分の入力部は、二次側コイル（Ｔ１．１，Ｔ１．２，Ｔ１．３）の内の第１の二次側コイルの外部導体接続部と結合され、配線基体（Ｓ１．１〜Ｓ３．２）の内の１つの配線基体上に設けられた出力調整装置の第２の部分の入力部は、二次側コイル（Ｔ１．１，Ｔ１．２，Ｔ１．３）の内の第２の二次側コイルの外部導体接続部と結合されることを特徴とする、請求項３〜１０のいずれか１項に記載の給電装置システム。
【請求項１３】
少なくとも１つのさらなる変圧器（Ｔ２）を有し、該変圧器も第１の変圧器（Ｔ１）のように構成され、このさらなる変圧器の二次側コイルの外部導体接続部には、さらなる導電性キャリア（Ｌ）が接続され、該キャリアは、配線基体（Ｓ１．１〜Ｓ３．２）、および／またはさらなる配線基体を保持し、該配線基体上に出力調整装置が設けられることを特徴とする、請求項１〜１２のいずれか１項に記載の給電装置システム。
【請求項１４】
第１の変圧器（Ｔ１）の、またはさらなる変圧器のコイル間には、自由空間が設けられ、この空間は、変圧器への電気ケーブルの敷設に適するように構成されることを特徴とする、請求項１〜１３のいずれか１項に記載の給電装置システム。
【発明の詳細な説明】
【技術分野】
【０００１】
本発明は、第１の変圧器を備える給電装置システムに関し、該第１の変圧器は、変圧器コアを含み、変圧器コアは、脚と、それを結合するヨークとを有し、脚とヨークとは筒体形状に設けられ、該筒体は底面として第１の多角形、上面として第２の多角形を有し、ヨークは第１の多角形の辺に沿ってそこから、および第２の多角形の辺に沿って設けられ、脚は第１の多角形の辺に沿って、および第２の多角形の辺に沿って設けられ、変圧器コアの脚上に設けられる一次側コイルおよび二次側コイルをさらに含む。
【背景技術】
【０００２】
かかる変圧器を備える給電装置は、たとえば、特許文献１から知られる。第１および第２の多角形は二等辺三角形である。
【０００３】
上記出願に記載の筒体の概念は、筒体の概念と専ら結び付けられることが多い直状円筒に制限されるわけではない。筒体とは、本出願に有効な一般的定義（www.wikipedia.de参照）に従えば、２つの平行で、平らな面（底面および上面）と、平行な直線によって形成される側面によって限定される。すなわち、筒体は、平らな面または曲線が、この平面内にはない直線に沿って移動することによって得られる。この直線が底面および上面に対して垂直である場合、この出願に有効な一般的定義に従えば、直筒状体という表現をする。
【０００４】
特許文献１に記載の変圧器は、一次側の三相交流電流システムからの電気エネルギを、二次側の三相交流システムに伝達するためのものである、またはその逆に適切に対応する。これは、特に場所をとらずに設置できるという利点を活用するために、コンパクトな構成となっている。
【０００５】
さらにまた、出願人、ＡＥＧ  Ｐｏｗｅｒ  Ｓｏｌｕｔｉｏｎ  Ｂ．Ｖ．の公開された種々の特許出願書類から、特に、シーメンス法に従い、シリコン棒におけるトリクロロシランからケイ素を蒸着（ＣＶＤ）させるために駆動されるポリシリコン反応炉への給電に適した構成とされた、給電装置システムが知られる。そこに記載された給電装置は、二次側で、すなわち反応炉側で、シリコン棒を加熱するために、シリコン棒に流れる、１０００〜５０００Ａの、特に３０００Ａの少なくとも一時的に高い電流を利用している。
【０００６】
この高い電流によって、５００ｍｍ２〜３０００ｍｍ２、特に、１５００ｍｍ２の断面積を有する反応炉との電気的結合部を作ることが必要になる。この電気的結合部は、通常、銅から作製され、銅は価格が上昇し、不足気味であることが問題となっているかもしれない。
【０００７】
従来の知られた給電装置システムの場合、それらが技術の水準である限りで判断すれば、出力調整装置は、給電装置システムの変圧器に対して隣接して、１つまたは２つの列をなして配設されているコントロールキャビネット内に設けられている。このシステムは、長いケーブルを考慮して、変圧器の二次側に通ずるものとしてもよい。
【０００８】
ポリシリコン製造のための給電装置システムの設計は、材料の節約を可能とするために、ケーブルをできる限り短くする必要がある。
【０００９】
したがって、これまでに、ケーブル経路を短くするためにポリシリコン反応炉の下に給電装置システムを設ける考えがあった。この方法を採れば、給電装置システムのために必要な場所と、各構成要素間の結合のために必要な材料、またはシステム配置と反応炉との間の結合のために必要な材料とを低減することができた。それでもなお、さらなる最適化は意味がある。そのための糸口は、筒体状の変圧器コアを有する変圧器を備える上述の給電装置システムの利用である。
【先行技術文献】
【特許文献】
【００１０】
【特許文献１】国際公開第００／２５３２７号明細書
【発明の概要】
【発明が解決しようとする課題】
【００１１】
筒状の変圧器コアを有する変圧器を備える、冒頭で述べた給電装置システムから出発して、ポリシリコン反応炉のための給電装置システムの開発、設計の専門家は、ポリシリコン反応炉の給電のために冒頭で述べた給電装置システムを最適に用いることが可能となるように、その開発をさらに続けるという課題に直面していることを悟った。
【課題を解決するための手段】
【００１２】
本発明は、第１の変圧器（Ｔ１）を備える給電装置システムであって、
該第１の変圧器は、変圧器コア（Ｋ）を含み、
変圧器コア（Ｋ）は、脚（Ｋ１）と、それを結合するヨーク（Ｋ２）とを有し、
脚（Ｋ１）とヨーク（Ｋ２）とは筒体形状に設けられ、該筒体は底面として第１の多角形、上面として第２の多角形を有し、
ヨーク（Ｋ２）は第１の多角形の辺に沿ってそこから、および第２の多角形の辺に沿って設けられ、脚（Ｋ１）は第１の多角形の辺に沿って、および第２の多角形の辺に沿って設けられ、
変圧器コアの脚（Ｋ１）上に設けられる一次側コイルおよび二次側コイル（Ｔ１．１，Ｔ１．２，Ｔ１．３）をさらに含む、給電装置システムにおいて、
二次側コイル（Ｔ１．１，Ｔ１．２，Ｔ１．３）が、少なくとも３つの接続部（Ａ）、すなわち、１つの中性導体接続部と２つの外部導体接続部を有し、
二次側コイル（Ｔ１．１，Ｔ１．２，Ｔ１．３）の全外部導体接続部が、それぞれ、外方端部を有する、第１の導電性キャリア（Ｌ）と機械的にかつ電気的に結合され、
該第１のキャリア（Ｌ）の外方端部は、筒体の外側に位置していることを特徴とする給電装置システムである。
【００１３】
本発明において、第１のキャリア（Ｌ）には、特に第１のキャリア（Ｌ）のより外方端部には、配線基体（Ｓ１．１〜Ｓ３．２）が固定されることを特徴とする。
【００１４】
本発明において、第１のキャリア（Ｌ）は、配線基体（Ｓ１．１〜Ｓ３．２）を担持することを特徴とする。
【００１５】
本発明において、給電装置システムは、出力調整装置を有し、各出力調整装置の入力部は、第１のキャリア（Ｌ）の内の１つのキャリアの中間回路のもとで、二次側コイルの内の１つの二次側コイルの外部導体接続部と結合され、出力調整装置は、配線基体（Ｓ１．１〜Ｓ３．２）の内の１つの配線基体上に設けられることを特徴とする。
【００１６】
本発明において、入力部が、二次側コイル（Ｔ１．１，Ｔ１．２，Ｔ１．３）の内の１つの二次側コイルの外部導体接続部と結合されている各出力調整装置の出力部は、１つの点において電気的に互いに結合されていることを特徴とする。
【００１７】
本発明において、給電装置システムは、制御手段を有し、該制御手段は、電圧追従制御における出力調整装置の駆動に適するように構成されることを特徴とする。
【００１８】
本発明において、配線基体（Ｓ１．１〜Ｓ３．２）は、少なくとも１つの、実質的に平らな面を有することを特徴とする。
【００１９】
本発明において、平らな面を有する配線基体（Ｓ１．１〜Ｓ３．２）は、少なくとも２つの脚（Ｋ１）に平行に、かつ変圧器コア（Ｋ）の２つのヨーク（Ｋ２）に平行に、第１のキャリア（Ｌ）に固定されることを特徴とする。
【００２０】
本発明において、配線基体（Ｓ１．１〜Ｓ３．２）の内の１つの配線基体の平らな面と、それに平行なヨーク（Ｋ２）との間に、少なくとも１つのさらなる脚（Ｋ１）が設けられることを特徴とする。
【００２１】
本発明において、配線基体（Ｓ１．１〜Ｓ３．２）の内の１つの配線基体の平らな面と、それに平行なヨーク（Ｋ１）との間に、さらなる脚（Ｋ１）が設けられないことを特徴とする。
【００２２】
本発明において、配線基体（Ｓ１．１〜Ｓ３．２）の内の１つの配線基体上に設けられた出力調整装置の入力部は、二次側コイルの内の１つの二次側コイルの外部導体接続部と結合されることを特徴とする。
【００２３】
本発明において、配線基体（Ｓ１．１〜Ｓ３．２）の内の１つの配線基体上に設けられた出力調整装置の第１の部分の入力部は、二次側コイル（Ｔ１．１，Ｔ１．２，Ｔ１．３）の内の第１の二次側コイルの外部導体接続部と結合され、配線基体（Ｓ１．１〜Ｓ３．２）の内の１つの配線基体上に設けられた出力調整装置の第２の部分の入力部は、二次側コイル（Ｔ１．１，Ｔ１．２，Ｔ１．３）の内の第２の二次側コイルの外部導体接続部と結合されることを特徴とする。
【００２４】
本発明において、給電装置システムは、少なくとも１つのさらなる変圧器（Ｔ２）を有し、該変圧器も第１の変圧器（Ｔ１）のように構成され、このさらなる変圧器の二次側コイルの外部導体接続部には、さらなる導電性キャリア（Ｌ）が接続され、該キャリアは、配線基体（Ｓ１．１〜Ｓ３．２）、および／またはさらなる配線基体を保持し、該配線基体上に出力調整装置が設けられることを特徴とする。
【００２５】
本発明において、第１の変圧器（Ｔ１）の、またはさらなる変圧器のコイル間には、自由空間が設けられ、この空間は、変圧器への電気ケーブルの敷設に適するように構成されることを特徴とする。
【発明の効果】
【００２６】
その課題は、二次側コイルが、少なくとも３つの接続部、すなわち、１つの中性導体接続部と２つの外部導体接続部とを有し、二次側コイルの全外部導体接続部が、それぞれ、外方端部を有する、第１の導電性キャリアと機械的にかつ電気的に結合され、該第１のキャリアの外方端部は、筒体の外側に位置している、したがって、第１の変圧器の外側に位置している、ことによって解決される。
二次側コイルの接続部も筒体の外側に位置するのが好ましい。
【００２７】
上述した変圧器のコンパクトで場所を取らない形態の知られた利点とが、ポリシリコン反応炉の外形形状に給電装置システムの外形形状を最適に適合させる本発明とが組み合わされる。さらにまた、変圧器の二次側回路が、変圧器の外側に直接設けることが可能であることによって、材料を節約することができる。したがって、二次側コイルの接続部間の経路を短くすることが可能である。負荷、たとえばポリシリコン反応炉が、給電装置システムを介して設けられる場合には、変圧器の二次側回路と負荷との間の経路は、従来技術と比べて短くなる。したがって、二次側コイルの接続部に外側からたやすくアクセスすることができる。
【００２８】
好ましくは、第１のキャリアは、接続部にキャリアが結合されている二次側コイルが、変圧器コアである筒体から突出している位置で、変圧器から延びている。知られた三角変圧器の場合とは異なり、全二次側コイルの接続部は、変圧器の唯一の側には出てきていない。むしろ第１のキャリアが、変圧器のすべての側にある。
【００２９】
三相交流電流システムのための発明に従った給電装置システムの場合には、変圧器コアの脚とヨークの位置およびコイルの位置をプリセットするために、底面ないしは上面が二等辺三角形の筒体が特に適していることが判った。このような変圧器は、本出願においては三角変圧器とも記載されている。
【００３０】
第１のキャリアは、５００ｍｍ２〜３０００ｍｍ２、特に１５００ｍｍ２の断面積を有してもよい。
【００３１】
第１のキャリアには、特に第１のキャリアの外方端部には、発明に従えば、配線基体が固定されてもよい。第１のキャリアは配線基体を完全に、または部分的に担持することが可能である。しかしながら、第１のキャリアは、配線基体による機械的負荷を全く受けないことも可能である。変圧器は、１または複数の保持手段を有しており、変圧器コアは、該保持手段上に設けられ、それら保持手段が、とりわけ配線基体を完全にまたは部分的に、直接または間接に、担持している。この保持手段は、その上に変圧器が置かれる、および好ましくは配線基体を支持する、フレームを有してもよい。
【００３２】
給電装置システムは、出力調整装置を有する。各出力調整装置の入力部は、第１のキャリアの内の１つのキャリアの中間回路のもとで、二次側コイルの内の１つの二次側コイルの外部導体接続部と結合されることが可能である。さらにまた、出力調整装置の内の１つは、出力調整装置の内の複数は、または、出力調整装置のすべては、配線基体上に設けてもよい。
【００３３】
入力部が二次側コイルの内の１つの二次側コイルの外部導体接続部と結合されている、各出力調整装置の出力部は、１つの点において電気的に互いに結合されている。これらの出力調整装置は、好ましくは、１つの配線基体または２つの隣接する配線基体上に設けられている。
【００３４】
給電装置システムは、制御手段を有してもよい。この制御手段は、電圧追従制御における出力調整装置の駆動に適するように構成してもよい。
【００３５】
配線基体は、少なくとも１つの、実質的に平らな面を有する。好ましくは、配線基体の場合プレートがよい。配線基体は、好ましくは、全体が、または部分的に電気絶縁性のものから構成される。
【００３６】
発明に従えば、少なくとも１つの平らな面を有する配線基体は、２つの脚に平行に、かつ変圧器の２つのヨークに平行に設けられてもよい。
【００３７】
配線基体の内の１つの配線基体の平らな面と、それに平行な脚およびヨークとの間に、少なくとも１つのさらなる脚を設けてもよい。
【００３８】
また、配線基体の内の１つの配線基体の平らな面と、それに平行な脚およびヨークとの間に、さらなる脚を設けなくてもよい。
【００３９】
配線基体の内の１つの配線基体上に設けられた出力調整装置の入力部は、二次側コイルの内の１つの二次側コイルの外部導体接続部と結合してもよい。各二次側コイルには、配線基体が設けられてもよく、該配線基体上に出力調整装置が設けられ、該出力調整装置は、前記二次側コイルの外部導体と結合される。
【００４０】
また、各二次側コイルには、２つの配線基体が設けられ、該二次側コイルの外部導体と結合された出力調整装置が、一方の配線基体上に設けられることが可能である。この配線基体は、もっぱら、二次側コイルの接続部と結合された出力調整装置を担持してもよい。
【００４１】
配線基体の内の１つの配線基体上に設けられた出力調整装置の第１の部分の入力部は、二次側コイルの内の第１の二次側コイルの外部導体接続部と結合されてもよく、配線基体の内の１つの配線基体上に設けられた出力調整装置の第２の部分の入力部は、二次側コイルの内の第２の二次側コイルの外部導体接続部と結合されてもよい。
【００４２】
第１変圧器の一次側コイルの接続部は、好ましくは、第１の変圧器の内部空間内へと導かれ、該変圧器は、変圧器コアと第１の変圧器のコイルとによって満たされないように構成されてなる。したがって、二次側接続部と一次側接続部との間の簡単な分離が可能である。
【００４３】
さらなる変圧器のコイルは、第１の変圧器の変圧器コア上に設けることが可能である。第１の変圧器およびさらなる変圧器のコイルは、変圧器コアの脚上の互いに隣接する、または互いに重なり合った領域に設けられてもよい。さらなる変圧器の二次側コイルの外部導体接続部には、さらなる導電性キャリアが接続されてもよく、該キャリアは、第１の配線基体および／またはさらなる配線基体を全体的に、または部分的に担持し、これらのキャリア上に出力調整装置が設けられる。
【００４４】
給電装置システムは、少なくとも１つのさらなる変圧器を有し、該変圧器も第１の変圧器のように構成され、このさらなる変圧器の二次側コイルの外部導体接続部には、さらなる導電性キャリアが接続され、該キャリアは、第１の配線基体を、および／またはさらなる配線基体を、全体的にまたは部分的に保持し、および／または担持し、該配線基体上に出力調整装置が設けられている。
【００４５】
給電装置システムがさらなる変圧器を有する場合は、それらを互いに重ねて設けてもよい。変圧器の脚は、一列に配置すればよい。
【００４６】
第１の変圧器の、またはさらなる変圧器のコイル間には、自由空間が設けられてもよく、この空間は、変圧器への電気ケーブルの敷設に適するように構成されてもよい。たとえば、中間電圧のシリコン反応炉への供給に適するべく構成された第２の給電装置システムのケーブルをこの空間に通してもよい。
【００４７】
この自由空間には、自由空間に通した接続ケーブルを導くことができる、一次側コイルの接続部を突出させてもよい。
本発明の実施形態を、図を参照し詳細に説明する。
【図面の簡単な説明】
【００４８】
【図１】発明に従った給電装置システムを鳥瞰図において示す。
【図２】前記給電装置システムの平面図である。
【図２Ａ】図２を拡大した詳細図である。
【図３】給電装置システムの正面図である。
【発明を実施するための形態】
【００４９】
発明に従った給電装置システムは、２つの変圧器Ｔ１，Ｔ２を備える。これらの変圧器Ｔ１，Ｔ２は、一次側コイルおよび二次側コイルＴ１．１〜Ｔ２．３を有し、これらのコイルは共通の変圧器コアＫ上に設けられている。変圧器コアＫは、脚Ｋ１とヨークＫ２とを有し、脚Ｋ１とヨークＫ２とは、底面および上面が三角形状の真っ直ぐな筒体形状を構成してなる。ヨークＫ２は底面および上面の辺に沿って設けられている。脚Ｋ１は、筒体の側面のエッジに沿って設けられている。
【００５０】
変圧器Ｔ１，Ｔ２の場合、３つの一次側コイルと３つの二次側コイルとを有する三相交流変圧器である。
【００５１】
脚Ｋ１上には、全部で４つのコイル、具体的には、第１の変圧器Ｔ１の一次側コイルと、第１の変圧器Ｔ１の二次側コイルと、第２変圧器Ｔ２の一次側コイルと、第２変圧器Ｔ２の二次側コイルとが設けられている。
【００５２】
第１の変圧器Ｔ１の一次側コイルおよび二次側コイルは、第１の領域に設けられ、第２変圧器の一次側コイルおよび二次側コイルは第２領域に設けられている。
第１の領域と第２領域とは、互いに重なりあって設けられる。
【００５３】
変圧器Ｔ１，Ｔ２の二次側コイルＴ１．１〜Ｔ２．３には、銅箔が巻かれており、したがって、強度に劣り、コイル箔幅が広めの二次側コイルは、１５００ｍｍ２の断面積を有してもよい。
【００５４】
変圧器Ｔ１，Ｔ２の二次側コイルＴ１．１〜Ｔ２．３は、複数の接続部Ａ、すなわち、中性導体接続部と複数の外部導体接続部とを含む。外部導体接続部の内の１つと中性導体接続部とは、好ましくは、各二次側コイルＴ１．１〜２．３の端部に設けられる。残りの外部導体は、二次側コイルのセンタタップである。
【００５５】
二次側コイルＴ１．１〜Ｔ２．３の接続部Ａ、すなわち各外部導体接続部および中性導体接続部は、曲げに強い金属、好ましくは銅からなる電気導体Ｌに結合されている。この曲げに強い導体Ｌは、どれも１５００ｍｍ２の断面積を有している。曲げに強い導体Ｌは、変圧器からわきに突出しており、キャリアとしての働きをし、変圧器コアの脚に沿って設けられる板状の配線基体Ｓ１．１〜Ｓ３．１を部分的に保持している。以下においてはキャリアＬとも記載される導体Ｌと、各接続部Ａとは、図においてはＡ１と表示されている。図においては、ある導体Ｌとは結合されてはいないけれども、他の導体と結合することが可能であるいくつかの接続部Ａが示されている。
【００５６】
配線基体Ｓ１．１〜Ｓ３．１上には、出力調整装置が設けられ、該出力調整装置は、それ自身の第１の接続部と、二次側コイルの外部導体接続部と結合したキャリアＬのそれぞれを介して結合されている。第２の各接続部、すなわち、出力調整装置の出力部側各接続部は、発明に従った給電装置システムの出力接続部と結合される点で導体を介して互いに結合される。
【００５７】
出力調整装置に加えて、さらなる構成要素が配線基体Ｓ１．１〜Ｓ３．１上に配設されている。これらの構成要素は、出力調整装置の制御部、出力調整装置の変換器バルブを点火するためのパルスの発生部、たとえばサイリスタ、ＩＧＢＴ（絶縁ゲートバイポーラトランジスタ）もしくは他の制御可能な回路などのために役に立つ。配線基体上に配設された構成要素は、図示されていない、または部分的にしか示されていない。
【００５８】
二次側コイルＴ１．１〜Ｔ２．３の下流側に設けられる出力調整装置は、二次側コイルに隣接する２つの配線基体回路上に設けられ、従って、短いキャリアを有する二次側コイルの外部導体接続部すべてが、下流側に設けられた該出力調整装置と結合される。
【００５９】
二次側コイルＴ１．１〜Ｔ２．３の外部導体接続部と結合された出力調整装置を担持する配線基体Ｓ１．１〜Ｓ３．１は、たとえば、二次側コイルＴ１．２に関する配線基体Ｓ２．１およびＳ２．２は、５０°〜７０°の角度をなして、好ましくは６０°の角度をなして切断される平面に配設される。
【００６０】
たとえば、Ｓ１．２およびＳ２．１というように、配線基体Ｓ１．１〜Ｓ３．１のそれぞれ２つは、１つの平面に配設され、１つの平面に配設された配線基体Ｓ１．１〜Ｓ３．１上には、出力調整装置が設けられ、該出力調整装置は、第１の領域または第２領域の二次側コイルＴ１．１〜Ｔ２．３と結合される。
【００６１】
互いに重なりあった領域の二次側コイルＴ１．１〜Ｔ２．３と結合される出力調整装置は、１つの配線基体Ｓ１．１〜Ｓ３．１上に共同で設けてもよい。したがって、たとえば配線基体Ｓ２．１は、二次側コイルＴ１．２の接続部と結合された出力調整装置と、二次側コイルＴ２．２の接続部と結合された出力調整装置とを担持する。
【００６２】
配線基体Ｓ１．１〜Ｓ３．１の各２つは、変圧器によってピンと張られた筒体の各側において、２つの脚Ｋ１と、これらの脚Ｋ１を結合するヨークＫ２とに平行に設けられており、該配線基体Ｓ１．１〜Ｓ３．１の各２つの配線基体は、これらの脚Ｋ１とヨークＫ２とに対しては、他の、脚Ｋ１およびヨークＫ２がその間に設けられることがないように隣接させる。
【符号の説明】
【００６３】
Ａ，Ａ１  接続部
Ｋ  変圧器コア
Ｋ１  脚
Ｋ２  ヨーク
Ｌ  電気導体（キャリア）
Ｔ１，Ｔ２  変圧器
Ｔ１．１，Ｔ１．２，Ｔ１．３，Ｔ２．１，Ｔ２．２，Ｔ２．３  二次側コイル
Ｓ１．１，Ｓ１．２，Ｓ２．１，Ｓ２．２，Ｓ３．１，Ｓ３．２  配線基体
【図１】
2014039037.tif 000003
【図２】
2014039037.tif 000004
【図２Ａ】
2014039037.tif 000005
【図３】
2014039037.tif 000006